(57)【要約】【課題】開位置（モニタ画面を覆わない位置）にあるモニタカバーがカメラの取り扱いの邪魔にならないようにする。【解決手段】開位置にあるモニタカバー５０は、カメラ底面に形成された凹部３１Ａに収容された状態で固定される。一方、閉位置にあるモニタカバー５０は、カメラ背面に形成された凹部２Ａに収容された状態で固定され、モニタ画面を覆う。開位置および閉位置におけるモニタカバー５０の固定は、モニタカバー５０に設けた磁石５４と、それぞれの凹部３Ａ，２Ａに設けた磁性体３２，２３との吸着によってなされる。【選択図】図４
2008015126.tif 000002
【特許請求の範囲】
【請求項１】
カメラの外観カバーに配置されるモニタ画面と、
前記モニタ画面を覆う閉位置と、該モニタ画面から退避する開位置との間で移動可能なモニタカバーと、
該モニタカバーを前記閉位置で固定するとともに、前記開位置においては、該モニタカバーを前記外観カバーに沿う状態で固定する固定機構とを具備することを特徴とするモニタカバー付き電子カメラ。
【請求項２】
前記開位置にあるモニタカバーは、前記外観カバーに形成した凹部に収容された状態で固定されることを特徴とする請求項１に記載のモニタカバー付き電子カメラ。
【請求項３】
前記モニタカバーは、前記閉位置にあっても前記モニタ画面を視認できるように、少なくともモニタ画面に対応する箇所が透明部材で構成されていることを特徴とする請求項１または２に記載のモニタカバー付き電子カメラ。
【請求項４】
前記モニタカバーのうち前記モニタ画面に対応する箇所以外は、前記モニタ画面が配置される前記外観カバーの表面と同色とされることを特徴とする請求項３に記載のモニタカバー付き電子カメラ。
【請求項５】
前記モニタ画面は、前記外観カバーに形成したモニタ配置用凹部の底面に配置され、前記閉位置にあるモニタカバーは、前記モニタ配置用凹部に収容された状態で固定されることを特徴とする請求項１〜４のいずれかに記載のモニタカバー付き電子カメラ。
【請求項６】
前記開位置にあるモニタカバーは、前記外観カバーの前記モニタ画面が設けられる面と交叉する面に沿う状態で固定されることを特徴とする請求項１〜５のいずれかに記載のモニタカバー付き電子カメラ。
【請求項７】
前記モニタ画面が設けられる面はカメラ背面であり、前記開位置にあるモニタカバーは、カメラ底面に沿う状態で固定されることを特徴とする請求項６に記載のモニタカバー付き電子カメラ。
【請求項８】
前記閉位置にあるモニタカバーは、前記モニタ画面と隣接して設けられた操作部材をも覆うことを特徴とする請求項１〜７のいずれかに記載のモニタカバー付き電子カメラ。
【請求項９】
前記モニタカバーは、前記外観カバーに着脱可能に取り付けられることを特徴とする請求項１〜８のいずれかに記載のモニタカバー付き電子カメラ。
【請求項１０】
カバー本体と、
該カバー本体がカメラのモニタ画面を覆う閉位置と、該モニタ画面から退避する開位置との間で移動できるようにカバー本体をカメラに支持する支持部と、
前記カバー本体を前記閉位置で固定するとともに、前記開位置にあるカバー本体をカメラの外面に沿った状態で固定するための固定部とを具備することを特徴とするモニタカバー。
【発明の詳細な説明】
【技術分野】
【０００１】
本発明は、モニタ画面を覆うモニタカバーおよびこれを有する電子カメラに関する。
【背景技術】
【０００２】
画像表示が可能な液晶モニタを有し、その画面をモニタカバー（液晶カバー）で覆うことが可能な電子カメラが特許文献１に記載されている。モニタカバーは、モニタ画面を覆う閉位置と、モニタ画面を露出させる開位置との間で回動可能であり、閉位置においては、モニタカバーに設けた窓を介してモニタ画面を視認できる。一方、モニタカバーを開位置にしたときは、モニタ画面の表示をモニタカバーの内面で反射させて視認することができる。
【０００３】
【特許文献１】特許第３６３１６１０号公報
【発明の開示】
【発明が解決しようとする課題】
【０００４】
引用文献１のカメラにおいて、モニタ画面の表示をモニタカバーで反射させて見る場合は、モニタカバーをカメラ本体に対して半開きの状態とする必要がある。しかし、反射機能を持たない通常のモニタカバーの場合は、半開きのカバーはカメラを取り扱う上で著しく邪魔となる。
【課題を解決するための手段】
【０００５】
本発明に係るモニタカバー付き電子カメラは、カメラの外観カバーに配置されるモニタ画面と、モニタ画面を覆う閉位置と、モニタ画面から退避する開位置との間で移動可能なモニタカバーと、モニタカバーを閉位置で固定するとともに、開位置においては、モニタカバーを外観カバーに沿う状態で固定する固定機構とを具備することを特徴とする。
開位置にあるモニタカバーが、外観カバーに形成した凹部に収容された状態で固定されるようにしてもよい。
モニタカバーが閉位置にあってもモニタ画面を視認できるように、モニタカバーの少なくともモニタ画面に対応する箇所を透明部材で構成してもよい。モニタカバーのうちモニタ画面に対応する箇所以外は、モニタ画面が配置される外観カバーの表面と同色としてもよい。
モニタ画面を外観カバーに形成したモニタ配置用凹部の底面に配置し、閉位置にあるモニタカバーは、モニタ配置用凹部に収容された状態で固定されるようにしてもよい。
開位置にあるモニタカバーが、モニタ画面が設けられる面と交叉する面に沿う状態で固定されるようにしてもよい。モニタ画面をカメラ背面に設け、開位置にあるモニタカバーは、カメラ底面に沿う状態で固定されるようにしてもよい。
閉位置にあるモニタカバーが、モニタ画面と隣接して設けられた操作部材をも覆うようにしてもよい。
モニタカバーを外観カバーに着脱可能に取り付けてもよい。
本発明に係るモニタカバーは、カバー本体と、カバー本体がカメラのモニタ画面を覆う閉位置と、モニタ画面から退避する開位置との間で移動できるようにカバー本体をカメラに支持する支持部と、カバー本体を前記閉位置で固定するとともに、開位置にあるカバー本体をカメラの外面に沿った状態で固定するための固定部とを具備する。
【発明の効果】
【０００６】
本発明によれば、開位置（モニタ画面を覆わない位置）にあるモニタカバーがカメラの取り扱いの邪魔になることがない。
【発明を実施するための最良の形態】
【０００７】
図１〜図６により本発明の一実施の形態を説明する。
図１，図３は本発明に係る一眼レフタイプの電子カメラの背面図、図２，図４はそれぞれ横断面図である。１はカメラの外観カバーを構成する上カバー、２は同背面カバー、３は同底カバーである。上カバー１の背面には、ファインダ接眼窓１１および接眼目当て１２が設けられる。背面カバー２には、例えば液晶モニタ等のモニタ画面２１（図３）が配置されるとともに、その両側に複数の操作部材２２が配置される。モニタ画面２１は、背面カバー２に形成された凹部２Ａの底面に配置されるので、操作部材２２が設けられる面よりも一段低い位置にある。モニタ画面２１には、撮像した画像の表示やメニュー表示などが可能とされる。
【０００８】
画面保護用のモニタカバー５０は、例えば樹脂製の不透明のカバー本体５１に略矩形の窓を形成して成り、窓には透明部材５２（例えば、アクリル板）が嵌め込まれている。カバー本体５１に設けられたヒンジ部５３は、底カバー３に取り付けられた軸部材３１に回動可能に軸支され、これによりモニタカバー５０は、図１，図２に示す閉位置と、図３，図４に示す開位置との間で回動可能とされる。
【０００９】
モニタカバー５０は、背面カバー２の凹部２Ａと略同形状とされ、閉位置にしたときに凹部２Ａに収容される。このとき、カバー本体５１に埋め込まれた永久磁石５４と、背面カバー２の凹部２Ａに埋め込まれた磁性体２３とが吸着し、モニタカバー５０は閉位置で固定される。この閉位置では、モニタカバー５０がモニタ画面２１を覆って画面の保護を図りつつ、透明部材５２を介してモニタ画面全体を視認可能である。
【００１０】
また図２から分かるように、凹部２Ａに収容されたモニタカバー５０は、背面カバー２の表面（操作部材２２が設けられる面）から後方に突出しないので、モニタカバー５０が浮き上がって見えることがなく、カメラの見栄えを損なうことがない。さらに、カバー本体５１を背面カバー２と同色（例えば、黒色）とし、表面処理も両者同一とすることで、あたかもモニタカバー５０が背面カバー２の一部であるかのように見せることも可能である。
【００１１】
したがって、通常はモニタカバー５０を閉位置に固定しておくことが画面保護の観点からは望ましいが、透明部材５２に汚れや傷がついたり、透明部材５２の反射が気になるような場合は、モニタ画面２１を直接視認すべくモニタカバー５０を閉位置から開位置に移動させる。移動は、モニタカバー５０に開方向の力を加えて磁石５４によるロックを外し、そのまま約２７０度回動させて開位置にもたらすだけでよい。図５はモニタカバー５０を約１８０度開いた状態を示している。開位置では、底カバー３に設けた凹部３Ａにモニタカバー５０が収容され、カバー本体５１の磁石５４と、凹部３Ａに埋め込まれた磁性体３２（図４）とが吸着し、モニタカバー５０はこの状態で固定される。
【００１２】
このように、モニタカバー５０をカメラ底面に沿った状態で固定できるので、カメラの取り扱いに何ら邪魔になることはない。また、モニタカバー５０をカメラから取り外して別に保管する必要もないので、紛失のおそれもなく、さらにモニタカバー５０を落下させて破損に至らしめる心配もない。なお、底カバー３には三脚座（不図示）が設けられるが、これは凹部３Ａから外れた位置にあり、モニタカバー５０の開閉状態に拘わらず三脚取り付けに支障を来すことはない。
【００１３】
しかも図３，図４から分かるように、凹部３Ａに収容されたモニタカバー５０は、底カバー３の表面、つまりカメラ底面から下方に突出しないので、カメラを机上などに置く際に安定性を損なうことがなく、またカメラ底面にバッテリパックなどのアクセサリを取り付ける場合にも何ら支障を来すことはない。
モニタカバー５０を開位置から閉位置に戻すには、上述と逆方向に回動させるだけでよい。
【００１４】
ここで、モニタカバー５０のヒンジ部５３は可撓性の部材で構成されているため、モニタカバー５０を半開状態にして引っ張ることで、図６に示すようにモニタカバー５０を簡単に軸部材３１から取り外すことができる。また軸部材３１への装着も容易である。したがって、モニタカバー５０が傷付いたり破損した場合は、容易に新品と交換することができる。
【００１５】
図７はモニタカバー５０’で操作ボタン２２をも覆うようにした例を示し、先の実施形態と同様の機能を果たす部材には同一の符号を付してある。このようにすることで、操作ボタン２２の誤操作を防止できるとともに、操作ボタン２２と背面カバー２の隙間からのゴミの侵入を防止できる。
【００１６】
なお以上では、閉位置と開位置との間でモニタカバー５０を約２７０度回動するようにしたが、例えばモニタカバー５０を閉位置から約９０度回動してカメラ底面と平行にし、その状態でモニタカバー５０を回動軸ごとスライドさせて凹部３Ａに収納し（閉位置）、逆の動作で開位置にもたらすようにしてもよい。あるいはモニタカバーを単にスライドさせることで開閉する構成でもよい。
【００１７】
また、モニタカバーを開いてモニタ画面を視認することを前提とした場合は、モニタカバーに窓および透明部材は必ずしも必要ではない。逆にモニタカバー全体を透明部材で構成しても構わない。また透明、一部透明および不透明のモニタカバーを用意しておき、ユーザが好みに応じて付け替えられるようにしてもよい。
【００１８】
モニタカバーを閉／開位置で固定する機構は磁石に限定されず、例えばスナップフィット式でもよい。またモニタ画面の位置は背面に限定されず、モニタカバーが開位置において沿う面も底面に限定されない。さらに、一眼レフタイプの電子カメラにて説明したが、コンパクトタイプの電子カメラにも本発明を適用できる。
【図面の簡単な説明】
【００１９】
【図１】一実施形態における電子カメラの背面図で、モニタカバーが閉位置にある状態を示す。
【図２】図１のカメラの側面断面図。
【図３】図１と同様の図で、モニタカバーが開位置にある状態を示す。
【図４】図３のカメラの側面断面図。
【図５】モニタカバーが半開状態にあるときのカメラの側面断面図。
【図６】モニタカバーを取り外した状態を示すカメラの側面断面図。
【図７】他の実施形態における電子カメラの背面図。
【符号の説明】
【００２０】
１  上カバー
２  背面カバー
２Ａ，３Ａ  凹部
３  底カバー
２１  モニタ画面
２２  操作ボタン
２３，３２  磁性体
３１  回動軸
５０  モニタカバー
５１  カバー本体
５２  透明部材
５３  ヒンジ部
５４  磁石
【図１】
2008015126.tif 000003
【図２】
2008015126.tif 000004
【図３】
2008015126.tif 000005
【図４】
2008015126.tif 000006
【図５】
2008015126.tif 000007
【図６】
2008015126.tif 000008
【図７】
2008015126.tif 000009